(57)【特許請求の範囲】
【請求項１】
上部に易開封手段を有する段差カット可能な包装袋において、
表面側の上記易開封手段は、上記包装袋の左右外縁から左右の上部変曲部まで下り傾斜に形成された下向傾斜切目線と、上記両上部変曲部から中央部が上方に膨れる凸状切目線とから構成される上部切目線と、
上記上部切目線の下側において、上記包装袋の左右外縁から左右の下部変曲部まで上り傾斜に形成された上向傾斜切目線と、上記両下部変曲部から中央部が下方に膨れる凹状切目線とからなり、上記上部切目線とは接触しない下部切目線により構成され、
上記左右の上部変曲部と下部変曲部間に、内側に開口する横向Ｖ字型誘導切目線が上記上部切目線と上記下部切目線に接触しないように各々形成され、
上記包装袋の左右外縁における上記下向傾斜切目線と上記上向傾斜切目線の中間に切込部が各々形成され、
上記左右の切込部に近接して小直線状誘導切目線が設けられ、上記両小直線状誘導切目線は、上記切込部から内側水平方向の仮想延長線に交差する方向に同一傾斜方向で形成されており、左側の上記小直線状誘導切目線はその内側端部が上記上向傾斜切目線に向かい、右側の上記小直線状誘導切目線はその内側端部が上記下向傾斜切目線に向かうように形成され、
裏面側の上記易開封手段は、上記上部切目線と上記下部切目線の間に位置する直線状の上部裏面側切目線と下部裏面側切目線とから構成され、
上記上部裏面側切目線の両端の裏面側変曲部には、上記両切込部より下側位置の上記包装袋の左右外縁から上記上部裏面側切目線の上記裏面側変曲部まで上り傾斜に形成された裏面側上向傾斜切目線が各々接続されることで１本の切目線として形成され、
上記表面側の左右の上記上向傾斜切目線と、左右の上記裏面側上向傾斜切目線は、形成位置が表裏で一致又は略一致しているものである段差カット可能な包装袋。
【請求項２】
上記下部裏面側切目線の両端部は、左右の上記裏面側上向傾斜切目線に接触しないように形成されたものである請求項１記載の段差カット可能な包装袋。
【請求項３】
上部に易開封手段を有する段差カット可能な包装袋において、
表面側の上記易開封手段は、上記包装袋の左右外縁から左右の上部変曲部まで下り傾斜に形成された下向傾斜切目線と、上記両上部変曲部から中央部が上方に膨れる凸状切目線とから構成される上部切目線と、
上記上部切目線の下側において、上記包装袋の左右外縁から左右の下部変曲部まで上り傾斜に形成された上向傾斜切目線と、上記両下部変曲部から中央部が下方に膨れる凹状切目線とからなり、上記上部切目線とは接触しない下部切目線により構成され、
上記左右の上部変曲部と下部変曲部間に、内側に開口する横向Ｖ字型誘導切目線が上記上部切目線と上記下部切目線に接触しないように各々形成され、
上記包装袋の左右外縁における上記下向傾斜切目線と上記上向傾斜切目線の中間に切込部が各々形成され、
上記左右の切込部に近接して小直線状誘導切目線が設けられ、上記両小直線状誘導切目線は、上記切込部から内側水平方向の仮想延長線に交差する方向に同一傾斜方向で形成されており、左側の上記小直線状誘導切目線はその内側端部が上記上向傾斜切目線に向かい、右側の上記小直線状誘導切目線はその内側端部が上記下向傾斜切目線に向かうように形成され、
裏面側の上記易開封手段は、上記上部切目線と上記下部切目線の間に位置する直線状の上部裏面側切目線と下部裏面側切目線とから構成され、
上記上部裏面側切目線の一端の裏面側変曲部には、一方の上記切込部より下側位置の上記包装袋の外縁から上記一端の裏面側変曲部まで上り傾斜に形成された裏面側上向傾斜切目線が接続され、
上記下部裏面側切目線の他端の裏面側変曲部には、他方の上記切込部より上側位置の上記包装袋の外縁から上記他端の裏面側変曲部まで下り傾斜に形成された裏面側下向傾斜切目線が接続され、
上記左右の切込部に近接して裏面側小直線状誘導切目線が、各内側端部が上記裏面側上向傾斜切目線及び上記裏面側下向傾斜切目線に向かうよう各々設けられ、
上記裏面側上向傾斜切目線と上記裏面側下向傾斜切目線は、表面側の上記上向傾斜切目線と上記下向傾斜切目線に形成位置が表裏で一致又は略一致しているものである段差カット可能な包装袋。
【請求項４】
表面側の上記両小直線状誘導切目線と、裏面側の上記両裏面側小直線状誘導切目線は、形成位置又は形成方向が表裏で一致又は略一致しているものである請求項３記載の段差カット可能な包装袋。
【請求項５】
上記上部裏面側切目線の他端は、上記裏面側下向傾斜切目線に接触しておらず、上記他端の延長線上に上記裏面側下向傾斜切目線が位置するように形成され、
上記下部裏面側切目線の一端は、上記裏面側上向傾斜切目線に接触しておらず、上記一端の延長線上に上記裏面側上向傾斜切目線が位置するように形成されたものである請求項３又は４に記載の段差カット可能な包装袋。
【請求項６】
上記包装袋の易開封手段の下側に再封手段が形成された請求項１〜５の何れかに記載の段差カット可能な包装袋。
【発明の詳細な説明】
【技術分野】
【０００１】
本発明は、例えば包装袋の上方位置等の易開封手段において、開封部に段差を生じさせる切目線を設けた段差カット可能な包装袋に関する。
【背景技術】
【０００２】
従来、この種の包装袋において、表面側に互いに接触しない上に凸の上部切目線と下に凸の下部切目線を設け、左右の変曲点に横向きＶ字状の誘導切目線を設け、裏面側に２本の直線状の切目線を設け、上部切目線と下部切目線の両端部の包装袋の両縁部に切込部を設け、例えば、包装袋の左縁部側から手前側に引いて開封する場合において、円滑に開封すると共に、段差を形成し得る包装袋が開示されている（特許文献１，２）。
【先行技術文献】
【特許文献】
【０００３】
【特許文献１】特許第５９４１６０４号公報
【特許文献２】特許第６０８７０１４号公報
【発明の概要】
【発明が解決しようとする課題】
【０００４】
ところで、特許文献１，２の包装袋は、上述のように上端部を手前側に引いた場合に、開封部に一定の段差を形成することができるのであるが、稀に、力の方向等の加減で、切込部からの切断線が切目線の方向に移行せず、或いは、途中の切目線から離脱し、適切な段差が形成されないケースが見受けられた。
【０００５】
本出願の発明者は、上記従来の課題に鑑みて、鋭意研究を続け、上記切込部からの切断線を切目線に適切に誘導することで、開封部に確実に段差を生じさせる段差カット可能な包装袋を提供することを目的とする。
【０００６】
本発明は、左右何れの方向から開封しても、開封部に確実に段差を生じさせる段差カット可能な包装袋を提供することを目的とする。
【課題を解決するための手段】
【０００７】
上記の目的を達成するため本発明は、
第１に、上部に易開封手段を有する段差カット可能な包装袋において、表面側の上記易開封手段は、上記包装袋の左右外縁から左右の上部変曲部まで下り傾斜に形成された下向傾斜切目線と、上記両上部変曲部から中央部が上方に膨れる凸状切目線とから構成される上部切目線と、上記上部切目線の下側において、上記包装袋の左右外縁から左右の下部変曲部まで上り傾斜に形成された上向傾斜切目線と、上記両下部変曲部から中央部が下方に膨れる凹状切目線とからなり、上記上部切目線とは接触しない下部切目線により構成され、上記左右の上部変曲部と下部変曲部間に、内側に開口する横向Ｖ字型誘導切目線が上記上部切目線と上記下部切目線に接触しないように各々形成され、上記包装袋の左右外縁における上記下向傾斜切目線と上記上向傾斜切目線の中間に切込部が各々形成され、上記左右の切込部に近接して小直線状誘導切目線が設けられ、上記両小直線状誘導切目線は、上記切込部から内側水平方向の仮想延長線に交差する方向に同一傾斜方向で形成されており、左側の上記小直線状誘導切目線はその内側端部が上記上向傾斜切目線に向かい、右側の上記小直線状誘導切目線はその内側端部が上記下向傾斜切目線に向かうように形成され、裏面側の上記易開封手段は、上記上部切目線と上記下部切目線の間に位置する直線状の上部裏面側切目線と下部裏面側切目線とから構成され、上記上部裏面側切目線の両端の裏面側変曲部には、上記両切込部より下側位置の上記包装袋の左右外縁から上記上部裏面側切目線の上記裏面側変曲部まで上り傾斜に形成された裏面側上向傾斜切目線が各々接続されることで１本の切目線として形成され、上記表面側の左右の上記上向傾斜切目線と、左右の上記裏面側上向傾斜切目線は、形成位置が表裏で一致又は略一致しているものである段差カット可能な包装袋により構成される。
【０００８】
上記表面側とは、例えば表面側積層フィルム（２）をいう。上記裏面側とは、例えば裏面側積層フィルム（３）をいう。上記横向Ｖ字型誘導切目線は、横向きＶ字型の誘導切目線（１８，１９）により構成することができる。上記小直線状誘導切目線は、小直線状の誘導切目線（２２ａ，２２ｂ）により構成することができる。上記小直線状誘導切目線の各内側端部は、小直線状誘導切目線（２２ａ，２２ｂ）の各内側端部（２２ａ’，２２ｂ’）により構成することができる。上記切込部は例えばＩノッチ（２１，２１）により構成することができる。上記上向傾斜切目線と上記裏面側上向傾斜切目線の形成位置が表裏で略一致とは、形成位置が表裏で多少ずれがある場合を含む。このように構成すると、易開封手段の上側の上辺部の左端を把持して手前側に引くと、表面側は、切込部からの切断線が小直線状誘導切目線に達し、切断線は、上記小直線状誘導切目線の内側端部から上向傾斜切目線に誘導されるため、表面側を下部切目線に沿って開封することができ、裏面側は、表面側の上記上向傾斜切目線と形成位置が表裏で一致する裏面側上向傾斜切目線が形成されているので、同様に切断線が上記裏面側上向傾斜切目線に達し、裏面側上部切目線に沿って開封することができ、結果として、表面側が下部切目線に沿って開封され、裏面側が上部切目線に沿って開封され、開封部に確実に段差を形成することができる。逆に、易開封手段の上側の上辺部の右端を把持して手前に引くと、表面側は、切込部からの切断線が小直線状誘導切目線に達し、切断線は、上記小直線状誘導切目線の内側端部から下向傾斜切目線に誘導されるため、表面側が上部切目線に沿って開封することができ、裏面側は、表面側の上記上向傾斜切目線と形成位置が表裏で一致する裏面側上向傾斜切目線が形成されているので、切断線が上記裏面側上向傾斜切目線に達し、裏面側上部切目線に沿って開封することができ、結果として、表面側が上部切目線に沿って開封され、裏面側が上部切目線に沿って開封され、開封部に確実に段差を形成することができる。
【００１０】
このように構成すると、上辺部の左側を把持して手前に引いた場合も、上辺部の右側を把持して手前に引いた場合も、何れの場合も切始めの切断線を、上向傾斜切目線又は下向き傾斜切目線に誘導することができ、良好に開封部に段差を形成することができる。
【００１１】
第２に、上記下部裏面側切目線の両端部は、左右の上記裏面側上向傾斜切目線に接触しないように形成されたものである上記第１に記載の段差カット可能な包装袋により構成される。
【００１２】
このように構成すると、仮に、裏面側において、開封時に、裏面側上向傾斜切目線から切断線がずれた場合であっても、下部裏面側切目線にて切断線を受け止めて、その後は下部裏面側切目線に沿って開封することができ、上記ずれが生じても、開封部に段差を確実に形成することができる。
【００１３】
第３に、上部に易開封手段を有する段差カット可能な包装袋において、表面側の上記易開封手段は、上記包装袋の左右外縁から左右の上部変曲部まで下り傾斜に形成された下向傾斜切目線と、上記両上部変曲部から中央部が上方に膨れる凸状切目線とから構成される上部切目線と、上記上部切目線の下側において、上記包装袋の左右外縁から左右の下部変曲部まで上り傾斜に形成された上向傾斜切目線と、上記両下部変曲部から中央部が下方に膨れる凹状切目線とからなり、上記上部切目線とは接触しない下部切目線により構成され、上記左右の上部変曲部と下部変曲部間に、内側に開口する横向Ｖ字型誘導切目線が上記上部切目線と上記下部切目線に接触しないように各々形成され、上記包装袋の左右外縁における上記下向傾斜切目線と上記上向傾斜切目線の中間に切込部が各々形成され、上記左右の切込部に近接して小直線状誘導切目線が設けられ、上記両小直線状誘導切目線は、上記切込部から内側水平方向の仮想延長線に交差する方向に同一傾斜方向で形成されており、左側の上記小直線状誘導切目線はその内側端部が上記上向傾斜切目線に向かい、右側の上記小直線状誘導切目線はその内側端部が上記下向傾斜切目線に向かうように形成され、裏面側の上記易開封手段は、上記上部切目線と上記下部切目線の間に位置する直線状の上部裏面側切目線と下部裏面側切目線とから構成され、上記上部裏面側切目線の一端の裏面側変曲部には、一方の上記切込部より下側位置の上記包装袋の外縁から上記一端の裏面側変曲部まで上り傾斜に形成された裏面側上向傾斜切目線が接続され、上記下部裏面側切目線の他端の裏面側変曲部には、他方の上記切込部より上側位置の上記包装袋の外縁から上記他端の裏面側変曲部まで下り傾斜に形成された裏面側下向傾斜切目線が接続され、上記左右の切込部に近接して裏面側小直線状誘導切目線が、各内側端部が上記裏面側上向傾斜切目線及び上記裏面側下向傾斜切目線に向かうよう各々設けられ、上記裏面側上向傾斜切目線と上記裏面側下向傾斜切目線は、表面側の上記上向傾斜切目線と上記下向傾斜切目線に形成位置が表裏で一致又は略一致しているものである段差カット可能な包装袋により構成される。
【００１４】
上記裏面側小直線状誘導切目線は、小直線状の裏面側の誘導切目線（３１ａ，３１ｂ）により構成することができる。上記裏面側小直線状誘導切目線の各内側端部は、上記各誘導切目線（３１ａ，３１ｂ）の各内側端部（３１ａ’，３１ｂ’）により構成することができる。上記裏面側上向傾斜切目線と上記裏面側下向傾斜切目線は、表面側の上記上向傾斜切目線と上記下向傾斜切目線に形成位置が表裏で略一致しているとは、形成位置が表裏で多少ずれがある場合を含む。このように構成すると、易開封手段の上側の上辺部の左端を把持して手前側に引くと、表面側は、切込部からの切断線が小直線状誘導切目線に達し、切断線は、上記小直線状誘導切目線の内側端部から上向傾斜切目線に誘導されるため、表面側が下部切目線に沿って開封することができ、裏面側は、切込部からの切断線が裏面側小直線状誘導切目線（３１ａ）に達し、切断線はその内側端部（３１ａ’）から裏面側上向傾斜切目線（表面側の上向傾斜切目線に一致又は略一致している）に誘導されるため、裏面側が上部裏面側切目線に沿って開封することができ、結果として、表面側が下部切目線に沿って開封され、裏面側が上部切目線に沿って開封され、開封部に確実に段差を形成することができる。逆に、易開封手段の上側の上辺部の右端を把持して手前側に引くと、表面側は、切込部からの切断線が小直線状誘導切目線に達し、切断線は、上記小直線状誘導切目線の内側端部から下向傾斜切目線に誘導されるため、表面側が上部切目線に沿って開封することができ、裏面側は、切込部からの切断線が裏面側小直線状誘導切目線（３１ｂ）に達し、切断線はその内側端部（３１ｂ’）から裏面側下向傾斜切目線（表面側の下向傾斜切目線に一致又は略一致している）に誘導されるため、裏面側が下部裏面側切目線に沿って開封することができ、結果として、表面側が上部切目線に沿って開封され、裏面側が下部切目線に沿って開封され、開封部に確実に段差を形成することができる。また、裏面側は、右側に裏面側下向傾斜切目線を、左側に裏面側上向傾斜切目線を設け、上記裏面側小直線状誘導切目線によって、上記各裏面側下向傾斜切目線と上記裏面側上向傾斜切目線に切断線を誘導し得るように構成したので、裏面側の開封が円滑となり、どの方向から開封しても、確実に段差を設けることができる。
【００１６】
このように構成すると、上辺部の左側を把持して手前に引いた場合も、上辺部の右側を把持して手前に引いた場合も、何れの場合も良好に開封部に段差を形成することができる。
【００１７】
第４に、表面側の上記両小直線状誘導切目線と、裏面側の上記両裏面側小直線状誘導切目線は、形成位置又は形成方向が表裏で一致又は略一致しているものである上記第３記載の段差カット可能な包装袋により構成される。
【００１８】
形成位置が表裏で略一致しているとは、形成位置が表裏で多少ずれがある場合を含む。形成方向が表裏で略一致しているとは、何れも内側端部が上向傾斜切目線、裏面側上向傾斜切目線又は下向傾斜切目線、裏面側下向傾斜切目線に向かっていれば、表裏の傾斜角度、形成位置にずれがある場合を含む（図１２参照）。このように構成すると、表面側の切断線も裏面側の切断線も、表面側の両小直線状誘導切目線及び裏面側の両裏面側小直線状誘導切目線により、適切に所定の切目線に誘導することができ、結果として開封部に確実に段差を形成することができる。
【００１９】
第５に、上記上部裏面側切目線の他端は、上記裏面側下向傾斜切目線に接触しておらず、上記他端の延長線上に上記裏面側下向傾斜切目線が位置するように形成され、上記下部裏面側切目線の一端は、上記裏面側上向傾斜切目線に接触しておらず、上記一端の延長線上に上記裏面側上向傾斜切目線が位置するように形成されたものである上記第３又は４に記載の段差カット可能な包装袋により構成される。
【００２０】
上記上部裏面側切目線の他端とは、他端（２０ａ’）をいう。上記下部裏面側切目線の一端とは、一端（２０ｂ’）をいう。このように構成すると、裏面側の切断線は、上部裏面側切目線の他端から裏面側下向傾斜切断線に誘導することができ、或いは、上記下部裏面側切目線の一端から裏面側上向傾斜切断線に誘導することができるため、裏面側を円滑に開封することができる。
【００２１】
第６に、上記包装袋の易開封手段の下側に再封手段が形成された上記第１〜５の何れかに記載の段差カット可能な包装袋により構成される。
【００２２】
このように構成すると、再封可能な包装袋において、確実に段差を形成し得る易開封手段を実現することができる。
【発明の効果】
【００２３】
本発明によれば、表面側は、切込部からの切断線が小直線状誘導切目線に達し、切断線は、上記小直線状誘導切目線の内側端部から上向傾斜切目線又は下向傾斜切目線に誘導され、裏面側は、表面側の上記上向傾斜切目線と形成位置が表裏で一致する裏面側上向傾斜切目線が形成されているので、切断線を裏面側上向傾斜切目線に誘導することができ、結果として開封部に確実に段差を形成することができる。
【００２４】
また、上辺部の左側を把持して手前に引いた場合も、上辺部の右側を把持して手前に引いた場合も、何れの場合も良好に開封部に段差を形成することができる。
【００２５】
また、仮に、裏面側において、開封時に、裏面側上向傾斜切目線から切断線がずれた場合であっても、下部裏面側切目線にて切断線を受け止めて、その後は下部裏面側切目線に沿って開封することができ、上記ずれが生じても、開封部に段差を確実に形成することができる。
【００２６】
また、裏面側にも裏面側小直線状誘導切目線と、裏面側上向傾斜切目線と裏面側下向傾斜切目線を設けたので、裏面側の切断線を裏面側小直線状誘導切目線により裏面側上向傾斜切目線又は裏面側下向傾斜切目線に確実に誘導することができるため、表面側の切目線の構成と相俟って、どの方向から開封しても、開封部に確実に段差を形成することができる。
【００２７】
また、表面側の切断線も裏面側の切断線も、表面側の両小直線状誘導切目線及び裏面側の両裏面側小直線状誘導切目線により、適切に誘導することができ、結果として開封部に確実に段差を形成することができる。
【００２８】
また、裏面側の切断線は、上部裏面側切目線の他端から裏面側下向傾斜切断線に誘導することができ、或いは、上記下部裏面側切目線の一端から裏面側上向傾斜切断線に誘導することができるため、裏面側を円滑に開封することができる。
【００２９】
また、再封可能な包装袋において、確実に段差を形成し得る易開封手段を実現することができる。
【図面の簡単な説明】
【００３０】
【図１】本発明に係る段差カット可能な包装袋の第１の実施形態の正面図である。
【図２】同上包装袋の背面図である。
【図３】同上包装袋の易開封手段近傍の拡大正面図である。
【図４】同上包装袋の左側の易開封手段近傍の拡大正面図である。
【図５】同上包装袋の右側の易開封手段近傍の拡大正面図である。
【図６】同上包装袋の開封途中の状態を示す同包装袋の正面図である。
【図７】同上包装袋の第２の実施形態の背面図である。
【図８】同上包装袋（第２の実施形態）の易開封手段近傍の拡大正面図である。
【図９】同上包装袋（第２の実施形態）の左側の易開封手段近傍の拡大正面図である。
【図１０】同上包装袋（第２の実施形態）の右側の易開封手段近傍の拡大正面図である。
【図１１】同上包装袋（第２の実施形態）の開封途中の状態を示す同包装袋の正面図である。
【図１２】同上包装袋の表面側の誘導切目線と裏面側の誘導切目線の位置関係を示す図であり、（ａ）は包装袋の左側の誘導切目線、（ｂ）は包装袋の右側の誘導切目線を示す。
【発明を実施するための形態】
【００３１】
以下、本発明に係る段差カット可能な包装袋について詳細に説明する。
【００３２】
（第１の実施形態）
図１、図２は、上記包装袋１を示すものであり、図１は包装袋の表面側積層フィルム２、図２は包装袋の裏面側積層フィルム３を示す。尚、表面側積層フィルム２のことを「表面側」、裏面側積層フィルム３のことを「裏面側」ともいう。
【００３３】
本発明の包装袋１は、表面側積層フィルム２と裏面側積層フィルム３の内側のシーラント層同士を対向し、周囲の所定幅を熱溶着することにより形成され、これにより、所定幅の左側熱溶着部４、右側熱溶着部５、上側熱溶着部６、下側熱溶着部７が形成され、内部空間に内容物が収納される。
【００３４】
尚、表面側積層フィルム２を図示した図１において、紙面に向かって左右を「左右方向」、左右方向を基準に上下を「上下方向」と定義する。従って、裏面側積層フィルム３を図示した図２においては「左右方向」だけ図１と逆になる。また、左右外縁４ａ，５ａより包装袋の中央部方向を「内側」、中央部から左又は右の方向を「外側」と表現する。よって、表面側積層フィルム２においても、裏面側積層フィルム３においても、左外縁４ａから中央部方向を「内側」、右外縁５ａから中央部方向を「内側」という。
【００３５】
また、以下の説明において「切目線」とは、表面側積層フィルム２又は裏面側積層フィルム３の表面に、厚さ方向に貫通しない一定の深さで、レーザー加工により形成された切目線（所謂ハーフカット線）をいう。従って、この切目線は、表面側積層フィルム２又は裏面側積層フィルム３の表面に、貫通しない切目線として形成されており、この切目線に沿って包装袋の上辺部１’を例えば手前に引くことにより、当該切目線に沿って表面側積層フィルム２又は裏面側積層フィルム３を切断し得るものであり、所謂、開封用誘導線をいう。
【００３６】
上記包装袋１において、上下の中央部より、上部側に再封手段８が設けられると共に、上記再封手段８と上辺の熱溶着部（上側熱溶着部６）との間に易開封手段９が表裏に各々形成されている。尚、再封手段８は包装袋１に設けられない場合もある。
【００３７】
また、本発明の包装袋１において、易開封手段９より上側であって、開封時に包装袋から切り取られる片部分を上辺部１’という（図１参照）。
【００３８】
上記再封手段８は、周知の構造であり、包装袋の表面側積層フィルム２の内側に左右方向全体に樹脂製凸条を固定し、裏面側積層フィルム３の内側に上記樹脂製凸条に対応する樹脂製凹溝部材を左右全体に固定し、上記樹脂製凸条を上記樹脂製凹溝に着脱自在とし、これにより開口部を再封止できるようにしたものである。
【００３９】
上記表面側積層フィルム２の上記易開封手段９は、以下の構造を有している。
まず、表面側積層フィルム２側の易開封手段９は、１本の上部切目線１０と、該上部切目線１０より下方向に離間した１本の下部切目線１１とにより構成されている。
【００４０】
上記上部切目線１０は、上記表面側積層フィルム２において、当該包装袋１の左右の熱溶着部４，５の左右外縁４ａ，５ａの同一高さより始まり、左右熱溶着部４，５の幅Ｔより内側に入った位置における左右の上部変曲部１２ａ，１２ｂまで、上方から下方に向けて下り傾斜直線状に形成された左右対称の下向傾斜切目線１３ａ，１３ｂと、上記左右の上部変曲部１２ａ，１２ｂから、左右端部が左右の上記下向傾斜切目線１３ａ，１３ｂに連続し、中央部が上方に円弧状に膨れる凸状切目線１４とから構成される、全体として連続する１本の切目線により構成されている。
【００４１】
上記左右の下向傾斜切目線１３ａ，１３ｂは、左右熱溶着部４，５の外縁４ａ，５ａから内側方向に向けて下り傾斜直線状に形成されると共に、上記上部変曲部１２ａ，１２ｂにおいて、下向き円弧状に変曲しつつ、さらに上向き円弧状の上記凸状切目線１４に滑らかに連続するように構成されている。
【００４２】
上記左右の上部変曲部１２ａ，１２ｂは、左右の熱溶着部４，５の内縁４ｂ，５ｂからさらに内側に多少入った左右位置に形成されることが好ましい。
【００４３】
次に、上記下部切目線１１は、上記表面側積層フィルム２において、当該包装袋１の左右の熱溶着部４，５の左右外縁４ａ，５ａの同一高さより始まり、左右熱溶着部４，５の幅Ｔより内側に入った位置における左右の下部変曲部１５ａ，１５ｂまで、下方から上方に向けて上り傾斜直線状に形成された左右対称の上向傾斜切目線１６ａ，１６ｂと、上記左右の下部変曲部１５ａ，１５ｂから、左右端部が上記左右の上向傾斜切目線１６ａ，１６ｂに連続し、中央部が下方に円弧状に膨れる凹状切目線１７とから構成される、全体として連続する１本の切目線により構成されている。
【００４４】
上記左右の上向傾斜切目線１６ａ，１６ｂは、左右熱溶着部４，５の外縁４ａ，５ａから内側方向に向けて上向き傾斜直線状に形成されると共に、上記下部変曲部１５ａ，１５ｂにおいて、上向き円弧状に変曲しつつ、さらに下向き円弧状の上記凹状切目線１７に滑らかに連続するように構成されている。
【００４５】
上記左右の下部変曲部１５ａ，１５ｂは、左右の熱溶着部４，５の内縁４ｂ，５ｂからさらに内側に多少入った左右位置に形成されることが好ましい。そして、上記上部変曲部１２ａ，１２ｂと上記下部変曲部１５ａ，１５ｂとは、表面側積層フィルム２の左右位置において、同一位置に形成されている。何れにしても、上記下部変曲部１５ａ，１５ｂは、上記上部変曲部１２ａ，１２ｂと同様、何れも左右熱溶着部４，５の内縁４ｂ，５ｂに近い位置に各々設けることが好ましい。
【００４６】
そして、上記上部切目線１０と上記下部切目線１１とは、上下方向に離間して互いに接触しないように、上下対称に構成すると共に、上下切目線１０，１１の離間距離は、左側の上記上部変曲部１２ａと１５ａ間、上記右側の上記上部変曲部１２ｂと１５ｂ間が最少の離間距離Ｍとなるように構成している（図４、図５参照）。
【００４７】
具体的には、上記上部変曲部１２ａ，１２ｂと下部変曲部１５ａ，１５ｂとの離間距離Ｍは、左右何れも１ｍｍ〜５ｍｍ、好ましくは、２ｍｍ〜５ｍｍとする。勿論、左右の離間距離Ｍは同一とする。
【００４８】
さらに、上記左側の上記上部変曲部１２ａと上記下部変曲部１５ａとの間、及び、上記右側の上記上部変曲部１２ｂと上記下部変曲部１５ｂとの間に、互いに内側に開口する横向きＶ字型の誘導切目線１８，１９を、上記上部切目線１０（凸状切目線１４）と上記下部切目線１１（凹状切目線１７）に接触しないように各々形成する（図３、図４、図５参照）。
【００４９】
この誘導切目線１８，１９は、左右対称なので、左側の誘導切目線１８について説明し、右側の誘導切目線１９は対応部分の符号をかっこ書で表示する（図４、図５参照）。この誘導切目線１８（１９）は、図４（図５）に示すように、上記上部変曲部１２ａ（１２ｂ）と下部変曲部１５ａ（１５ｂ）の間であって、その「Ｖ字」を構成する上側の開き切目線１８ａ（１９ａ）が、上記凸状切目線１４の上向傾斜切目線１４ａ（１４ｂ）に沿って内側方向に延びると共に、その「Ｖ字」を構成する下側の開き切目線１８ｂ（１９ｂ）が、上記凹状切目線１７の下向傾斜切目線１７ａ（１７ｂ）に沿って内側方向に延びるように形成され、かつ、その「Ｖ字」の頂点１８ｃ（１９ｃ）は、外側方向を向いており、後述のＩノッチ２１から水平方向に延長した仮想延長線Ｌ上に形成されている。
【００５０】
そして、上記上側及び下側の開き切目線１８ａ，１８ｂ（１９ａ，１９ｂ）は、上記上下向傾斜切目線１４ａ，１７ａ（１４ｂ，１７ｂ）に近接してはいるが、決して接したり交わることはないように構成される。
【００５１】
左右の上記Ｉノッチ２１，２１は、上記下向傾斜切目線１３ａ，１３ｂの左右外縁４ａ，４ｂ上の点１３ａ’，１３ｂ’（図４、図５参照）と、上記上向傾斜切目線１６ａ，１６ｂの左右外縁４ａ，５ａ上の点１６ａ’，１６ｂ’（図４、図５参照）との距離Ｑの上下方向の中間位置（Ｑ／２＝Ｑ１の位置）に設けられており、上記包装袋１の表面側積層フィルム２と裏面側積層フィルム３を貫通するように切り込み状に設けられている。このＩノッチ２１，２１は、開封時の切り込みのきっかけを作るものである。尚、上記仮想延長線Ｌを図１〜図５（第２の実施形態では図７〜図１１）に示す。この仮想延長線Ｌは、図１、図２、図６（第２の実施形態では図７、図１１）は破線、図３〜図５（第２の実施形態では図８〜図１０）は一点鎖線で示すが、上記上下切目線１０，１１の上下の中心線を仮想的に想定するものであり、あくまでも仮想線であって、ハーフカット線ではない。
【００５２】
そして、上記上下切目線１０，１１は上記仮想延長線Ｌを中心として、上下に等距離（左右外縁４ａ，５ａにおいては仮想延長線Ｌから上下方向に各々等距離Ｑ１，Ｑ１）を以って設けられている（図４、図５参照）。
【００５３】
さらに、表面側積層フィルム２においては、上記左側熱溶着部４内において、上記Ｉノッチ２１から内側方向への上記仮想延長線Ｌ上において、上記Ｉノッチ２１に近接して、該仮想延長線Ｌを横切る右下り傾斜の右下傾斜小直線状の誘導切目線２２ａが設けられている。この誘導切目線２２ａは、その内側端部２２ａ’（図４参照）が上向傾斜切目線１６ａに向かうように形成され、上記左外縁４ａのＩノッチ２１側から例えば内側方向に切り裂いたとき、上記内側端部２２ａ’が上向傾斜切目線１６ａに向かうようにして、切断線を上記上向傾斜切目線１６ａに誘導し（図４の破線の矢印Ｐ１参照）、表面側積層フィルム２側は下部切目線１１に沿って開封し得るようにするためである。尚、この誘導切目線２２ａは、内側端部２２ａ’が上記上向傾斜切目線１６ａに向かう方向であれば、上記仮想延長線Ｌを横切ることなく、外側の端部が上記仮想延長線Ｌに接するか、仮想延長線Ｌに近接する位置になるように形成しても良い。
【００５４】
また、表面側積層フィルム２においては、上記右側熱溶着部５内において、上記Ｉノッチ２１から内側方向への上記仮想延長線Ｌ上に、上記誘導切目線２２ａと同じ方向の右下り傾斜及び上記誘導切目線２２ａと同一傾斜角度にて、上記仮想延長線Ｌを横切る右下り傾斜の右下傾斜小直線状の誘導切目線２２ｂが設けられている（図５参照）。この誘導切目線２２ｂは、その内側端部２２ｂ’（図５参照）が下向傾斜切目線１３ｂに向かうようにして、右外縁５ａの上記Ｉノッチ２１側から内側方向に切り裂いたとき、上記内側端部２２ｂ’が下向傾斜切目線１３ｂに向かうようにして、切断線を上記下向傾斜切目線１３ｂに誘導し（図５の破線の矢印Ｐ２参照）、表面側積層フィルム２側は上部切目線１０に沿って開封し得るようにするためである。尚、この誘導切目線２２ｂも、内側端部２２ｂ’が上記下向傾斜切目線１３ｂに向かう方向であれば、上記仮想延長線Ｌを横切ることなく、外側の端部が上記仮想延長線Ｌに接するか、仮想延長線Ｌに近接する位置になるように形成しても良い。
【００５５】
上記裏面側積層フィルム３の上記易開封手段９は、以下のように構成されている（図２、図３参照）。まず、上記裏面側積層フィルム３の上記易開封手段９は、上記凸状切目線１４の最も上に位置する上端位置１４’（図３参照）と上記凹状切目線１７の最も下に位置する下端位置１７’との間に位置しており、中央部が左右の上記Ｉノッチ２１の形成位置よりも上側に位置する上部裏面側切目線２０ａと、中央部が左右の上記Ｉノッチ２１の形成位置よりも下側に位置する下部裏面側切目線２０ｂとから構成されている（図２、図３参照）。
【００５６】
即ち、図４に示すように、上記上部裏面側切目線２０ａの中央部（積層フィルム３の左右方向の中央部）は、上記Ｉノッチ２１の形成位置（Ｉノッチ２１から延びる仮想中心線Ｌ）より距離Ｒ１だけ上側に位置しており、上記下部裏面側切目線２０ｂの中央部（積層フィルム３の左右方向の中央部）は、上記Ｉノッチ２１の形成位置（切込部、即ちＩノッチ２１から延びる仮想延長線Ｌ）より同じ距離Ｒ１だけ下側に位置している。
【００５７】
そして、上記上部裏面側切目線２０ａは、その両端部は、上記左右の切込部（Ｉノッチ）２１の形成位置より下側位置の、上記表面側積層フィルム２の上記上向傾斜切目線１６ａ，１６ｂの左右外縁４ａ，５ａ上の点１６ａ’，１６ｂ’（図３参照）と一致する点２９ａ’，２９ｂ’（同一高さ位置）から始まり、上記表面側積層フィルム２の上記上向傾斜切目線１６ａ，１６ｂと同一角度での上り傾斜直線状に、裏面側上向傾斜切目線２９ａ，２９ｂが、表面側の上向傾斜切目線１６ａ，１６ｂの傾斜角度と一致又は略一致して上り傾斜で内側に向けて形成され、上記表面側の上向傾斜切目線１６ａ，１６ｂを過ぎても、さらに上り傾斜直線状に形成（カット）され、上記表面側積層フィルム２側の上記上下変曲部１２ａ，１２ｂ、１５ａ，１５ｂを各々内側方向に横切って（図３，４，５参照）、裏面側変曲部２８ａ，２８ｂまで下方から上方に向けて上り傾斜直線状に形成され、上記裏面側変曲部２８ａ，２８ｂから水平直線状の上記上部裏面側切目線２０ａに各々接続されている（図２、図４参照）。よって、上記上部側の裏面側切目線は、上記上部裏面側切目線２０ａ、その両側に形成された裏面側上向傾斜切目線２９ａ，２９ｂによって全体が連続する１本の切目線として形成されている。
【００５８】
即ち、上記上部裏面側の切目線は、全体として、中央部（裏面側変曲部２８ａ，２８ｂの間）が直線（裏面側直線状の上部裏面側切目線２０ａ）で、左右両端部が外側から内側に向けて上側に上り傾斜となる略台形状に形成されている。また、上記裏面側変曲部２８ａ，２８ｂは、表面側の上下変曲部１２ａ，１５ａ、１２ｂ，１５ｂの位置よりも、各々内側に形成されているが（図３参照）、上記裏面側変曲部２８ａ，２８ｂの位置は、上記熱溶着部４，５の内縁４ｂ，５ｂよりも、さらに内側に入った位置に形成されている。
【００５９】
また、上記裏面側上向切目線２９ａ，２９ｂの内側の裏面側変曲部２８ａ，２８ｂは、上記表面側の上記上部変曲部１２ａ，１２ｂと上記凸状切目線１４との接続部に一致する位置に各々形成されている（図４，５参照）。そして、裏面側上向傾斜切目線２９ａ，２９ｂは、表裏の積層フィルム２，３を重ねると、特に熱量着部４，５の範囲内において、表面側の上向傾斜切目線１６ａ，１６ｂに一致又は略一致するように構成されている（図３参照）。尚、略一致とは、表裏のフィルムを重ねた場合、多少のずれが生ずる場合を含む。
【００６０】
さらに、上記下部裏面側切目線２０ｂは１本の直線状切目線であって、その左右両端部２０ｂ’，２０ｂ’は上記包装袋１の熱溶着部４，５の左右内縁４ｂ，５ｂまで達しない状態に形成されている。具体的には、図２、図３に示すように、上記左右両端部２０ｂ’，２０ｂ’は、上記左右の熱溶着部４，５より内側であって、上記熱溶着部４，５の左右内縁４ｂ，５ｂには近接しているが、上記左右内縁４ｂ，５ｂまで達しない状態に形成されている。尚、上記熱溶着部４，５の内縁４ｂ，５ｂ近傍では、表面側の下部変曲部１５ａ，１５ｂの切目線が上側、上記下部裏面側切目線２０ｂが下側となるように構成されている。また、下部裏面側切目線２０ｂの両端部２０ｂ’，２０ｂ’は、裏面側上向傾斜切目線２９ａ，２９ｂの線路途中に近接対向しており、仮に、切断線が、上記裏面側上向傾斜切目線２９ａ，２９ｂから離脱しても、切断線を上記下部裏面側切目線２０ｂにて受け止めることができるように構成されている。
【００６１】
そして、上記上部裏面側切目線２０ａの直線状の部分と、上記下部裏面側切目線２０ｂとの距離Ｎ（＝Ｒ１×２）は、例えば１ｍｍ〜５ｍｍ、好ましくは２ｍｍとする（図４参照）。
【００６２】
本発明に係る包装袋１は上述のように構成されるものであるから、次に、この包装袋１の開封動作について説明する（図６参照）。
【００６３】
まず、上記右手で上記上辺部１’の左端部を以って、左端部から上記上辺部１’を手前側に引いて開封する場合を説明する（図６の方向）。
【００６４】
この場合、左手で包装袋１の下半部を保持し、右手で上記上辺部１’の左端部を以って手前に引くと、左端部のＩノッチ２１から引き裂きが始まり、表面側積層フィルム２では、左端部のＩノッチ２１からの切断線が直ちに誘導切目線２２ａに至り、該誘導切目線２２ａの内側端部２２ａ’に誘導されて切断線が上向傾斜切目線１６ａに至る（図４矢印Ｐ１参照）。そのまま上記上辺部１’を手前に引いていくと、上記上向傾斜切目線１６ａから下部変曲部１５ａを切断し、さらに、凹状切目線１７に沿って切断され、左側の下部変曲部１５ｂを通って上向傾斜切目線１６ｂを切断して、右外縁５ａ（点１６ｂ’）まで切断される。
【００６５】
仮に、何らかの原因で切断線が最初の上記誘導切目線２２ａに至らなかったとしても、次のＶ字型の誘導切目線１８に至るので、ここで、上記上辺部１’を手前に引いている関係上、切断線がＶ字型の上記誘導切目線１８の下側の開き切目線１８ｂに誘導されて、同様に、下部切目線１１の凹状切目線１７に誘導され、そのまま凹状切目線１７に沿って切断され、左側の下部変曲部１５ｂを通って上向傾斜切目線１６ｂを介して右外縁５ａ（点１６ｂ’）まで切断される。
【００６６】
一方、裏面側積層フィルム３では、上記Ｉノッチ２１から手前側に引かれるため、上記Ｉノッチ２１から始まった引き裂きは、下側に移行し、下側の裏面側上向傾斜切目線２９ａに達し、該裏面側上向傾斜切目線２９ａに沿って切断され、裏面側変曲部２８ａを通って、そのまま上部裏面側切目線２０ａに沿って切断され、裏面側変曲部２８ｂを通って、裏面側上向傾斜切断線２９ｂから右外縁５ａ（点２９ｂ’）まで切断される。この場合、裏面側上向切目線２９ａは表面側の上向切目線１６ａと形成位置が一致又は略一致しているので、切始めにおいて、表裏とも円滑に切断することができる。
【００６７】
また、Ｉノッチ２１からの引き裂きが、下側に移行せずに、仮想延長線Ｌに沿って内側水平に移行したとしても、最終的には、裏面側変曲点２８ａの直前から裏面側上向傾斜切目線２９ａの終端部近傍に達し、その位置から裏面側変曲部２８ａを通って上部裏面側切目線２０ａに沿って切断されるので、同様に裏面側を上部裏面側切目線２０ａに沿って切断することができる。
【００６８】
その結果、表面側積層フィルム２側は、その中央部は凹状切目線１７に沿って切断されるため、下向凹状切断線２３（図６参照）が形成され、裏面側積層フィルム３は、上側の上部裏面側切目線２０ａに沿って切断されるため、当該切目線２０ａに沿った直線状切断線２４（図６参照）が形成される。
【００６９】
このとき、上記下向凹状切断線２３の位置と，上記直線状切断線２４との間には、距離Ｒ２の段差が生じているので、その後、使用者は上記距離Ｒ２の段差を利用して、包装袋１を容易に開口することができる。
【００７０】
次に、左手で上記上辺部１’の右端部を以って、右端部から上記上辺部１’を手前側に引いて開封する場合を説明する。
【００７１】
この場合、表面側積層フィルム２側は、右手で包装袋１の下半部を保持し、左手で上記上辺部１’の右端部を以って手前側に引くと、左端部のＩノッチ２１から引き裂きが始まり、切断線は直ぐに右側の誘導切目線２２ｂに達し、該誘導切目線２２ｂの内側端部２２ｂ’に誘導されて切断線が下向傾斜切目線１３ｂに至る（図５矢印Ｐ２参照）。そのまま上記上辺部１’を手前側に引いていくと、上記下向傾斜切目線１３ｂから上部変曲部１２ｂを切断し、さらに、凸状切目線１４に沿って切断され、右側の上部変曲部１ａを通って下向傾斜切目線１３ａを切断して、左外縁４ａ（点１３ａ’）まで切断される。
【００７２】
仮に、何らかの原因で切断線が最初の上記誘導切目線２２ｂに至らなかったとしても、次のＶ字型の誘導切目線１９に至るので、ここで、上記上辺部１’を手前側に引いている関係上、切断線がＶ字型の上記誘導切目線１９の上側の開き切目線１９ａに誘導されて、同様に、上部切目線１０の凸状切目線１４に誘導され、そのまま凸状切目線１４に沿って切断され、左側の上部変曲部１２ａを通って下向傾斜切目線１３ａを介して左外縁４ａ（点１３ａ’）まで切断される。
【００７３】
一方、裏面側積層フィルム３では、上記Ｉノッチ２１から手前側（図２では奥側）に引かれるため、上記Ｉノッチ２１から始まった引き裂きは、下側に移行し、下側の裏面側上向傾斜切目線２９ｂに達し、該裏面側上向傾斜切目線２９ｂに沿って切断され、裏面側変曲部２８ｂを通って、そのまま上部裏面側切目線２０ａに沿って切断され、裏面側変曲部２８ａを通って、裏面側上向傾斜切断線２９ａから左外縁４ａ（点２９ａ’）まで切断される。
【００７４】
また、Ｉノッチ２１からの引き裂きが、下側に移行せずに、仮想延長線Ｌに沿って内側水平に移行したとしても、最終的には、裏面側変曲点２８ｂの直前から裏面側上向傾斜切目線２９ｂの終端部近傍に達し、その位置から裏面側変曲部２８ｂを通って上部裏面側切目線２０ａに沿って切断されるので、同様に裏面側を上部裏面側切目線２０ａに沿って切断することができる。
【００７５】
その結果、表面側積層フィルム２側は、その中央部は凸状切目線１４に沿って切断されるため、上向凸状切断線２５（図３参照）が形成され、裏面側積層フィルム３は、上側の上部裏面側切目線２０ａに沿って切断されるため、当該切目線２０ａに沿った直線状切断線２４（図３参照）が形成される。
【００７６】
このとき、上記上向凸状切断線２５の位置と、上記直線状切断線２４との間には、距離Ｒ３（図３参照）の段差が生じているので、その後、使用者は上記距離Ｒ３の段差を利用して、包装袋１を容易に開口することができる。
【００７７】
このように、左側の上辺部１’を持って、左側から手前に引いて開口する場合、及び、右側の上辺部１’を持って、右側から手前に引いて開口する場合、の何れの場合も、段差カット可能であり、段差を確実に形成することができるものである。
【００７８】
（第２の実施形態）
次に、本発明の包装袋１の第２の実施形態を説明する（図７〜図１１参照）。
尚、この第２の実施形態において、上記第１の実施形態と同一部分、対応部分には同一符号を付して詳しい説明は便宜上省略する。
【００７９】
この第２の実施形態では、表面側積層フィルム２の易開封手段９の構成は、上記第１の実施形態の表面側積層フィルム２の易開封手段９の構成と全く同一であるので、表面側積層フィルム２の易開封手段９の説明は省略する。また、裏面側積層フィルム３の易開封手段９の構成は第１の実施形態と一部相違するので、相違点について説明する。
【００８０】
図７に示すように、上記仮想延長線Ｌの上側と下側に、直線状の上部裏面側切目線２０ａと下部裏面側切目線２０ｂが形成されているのは同じである（仮想延長線Ｌからの距離Ｒ１，Ｒ１も同様、図４参照）。第１の実施形態では、上部裏面側切目線２０ａの両端部に、裏面側上向傾斜切目線２９ａ，２９ｂを設けることで、全体が略台形状に形成されていたが、第２の実施形態では、上部裏面側切目線２０ａの左端部（一端）の裏面側変曲部２８ａ側の上記裏面側上向傾斜切目線２９ａは第１の実施形態と同様に残すが、上部裏面側切目線２０ａの右端部（他端）の裏面側変曲部２８ｂから先の裏面側上向傾斜切目線２９ｂは形成せずに、上記上部裏面側切目線２０ａは、第１の実施形態における上記裏面側変曲部２８ｂの部分で終端部（右端部２０ａ’＝他端）が構成されている。
【００８１】
一方、下部裏面側切目線２０ｂの右端部（他端）には、上記右端部２０ａ’の上下方向の同一位置に、裏面側変曲部３２を設け、該裏面側変曲部３２から裏面側下向傾斜切目線３０を形成する。
【００８２】
この裏面側下向傾斜切目線３０は、表面側の下向傾斜切目線１３ｂと同一傾斜角度とし、上記右側の外縁５ａは、裏面側下向傾斜切目線３０の右端部である点３０’まで達している。尚、上記点３０’は表面側の下向傾斜切目線１３ｂの外縁５ａの点１３ｂ’と同一の点である。
【００８３】
即ち、上記裏面側下向傾斜切目線３０は、上記点１３ｂ’と同一の点３０’から始まり、表面側の下向傾斜切目線１３ｂと同一角度で下り方向に傾斜して直線状に形成され、表面側の上下の変曲部１２ｂ，１５ｂを横切り、上記裏面側変曲部３２に接続されている（図１０参照）。
【００８４】
このように裏面側の切目線は、上部裏面側切目線２０ａと左側の上記裏面側上向傾斜切目線２９ａとから構成される１本の切目線と、下部裏面側切目線２０ｂと右側の上記裏面側下向傾斜切目線３０とから構成される１本の切目線とから構成されている。尚、下部裏面側切目線２０ｂの一端２０ｂ’は、上記裏面側変曲部２８ａと上下方向の同一位置で終端部を形成している。
【００８５】
また、上記裏面側上向傾斜切目線２９ａと表面側の上向傾斜切目線１６ａは、熱溶着部４の範囲では表裏を合わせると形成位置は一致又は略一致しており、上記裏面側下向傾斜切目線３０と表面側の下向傾斜切目線１３ｂは、熱溶着部５の範囲では表裏を合わせると形成位置は一致又は略一致するように構成されている。このように、裏面側は裏面側上向傾斜切目線２９ａと裏面側下向傾斜切目線３０が左右に逆方向（段違い）に形成されている。尚、略一致とは、表裏のフィルムを重ねた場合、多少のずれが生ずる場合を含む。
【００８６】
さらに、裏面側には、左側のＩノッチ２１から水平方向の上記仮想延長線Ｌを横切る右下り傾斜の右下傾斜小直線状の誘導切目線３１ａが設けられている。この誘導切目線３１ａは上記左外線４ａのＩノッチ２１側から例えば内側方向（図７では奥部方向）に切り裂いたとき、その内側端部３１ａ’から、切断線を上記裏面側上向傾斜切目線２９ａに誘導し（図９矢印Ｐ１）、裏面側積層フィルム３側は、上部切目線２０ａに沿って開封し得るようにするためである。
【００８７】
また、裏面側には、右側のＩノッチ２１から水平方向の上記仮想延長線Ｌを横切る右下り傾斜の右下傾斜小直線状の誘導切目線３１ｂが設けられている。この誘導切目線３１ｂは上記右外線５ａのＩノッチ２１側から例えば内側方向に切り裂いたとき、その内側端部３１ｂ’により切断線を上記裏面側下向傾斜切目線３０に誘導し（図１０矢印Ｐ２）、裏面側積層フィルム３側は、下部切目線２０ｂに沿って開封し得るようにするためである。
【００８８】
尚、表面側の誘導切目線２２ａ，２２ｂの傾斜方向及び長さは、裏面側の誘導切目線３１ａ，３１ｂの傾斜方向及び長さと一致しており、表裏のフィルム２，３を重ねたとき、両者の形成位置は一致するように構成されることが好ましい（図８参照）。また、この裏面側の誘導切目線３１ａは、内側端部３１ａ’が上記裏面側上向傾斜切目線２９ａに向かう方向であれば、上記仮想延長線Ｌを横切ることなく、外側の端部が上記仮想延長線Ｌに接するように形成しても良い。
【００８９】
また、表面側の誘導切目線２２ａと裏面側の誘導切目線３１ａは上述のように、形成位置又は形成方向が一致することが好ましいが、図１２（ａ）に示すように、各内側端部２２ａ’，３１ａ’が上向傾斜切目線１６ａ又は裏面側上向傾斜切目線２９ａに向かっていれば、形成位置、形成方向（傾斜角度）、長さ等が表裏で一致していなくても、交差していても良い。即ち、上記誘導切目線２２ａと、誘導切目線３１ａは、それらの形成位置又は形成方向が表裏で多少ずれがある場合、即ち、形成位置又は形成方向が完全に一致していなくても、表裏で略一致していれば良い。
【００９０】
ここで、形成位置又は形成方向が表裏で略一致しているとは、何れも内側端部２２ａ’，３１ａ’が上向傾斜切目線１６ａ、裏面側上向傾斜切目線２９ａに向かっていれば、表裏の傾斜角度、長さ等にずれがある場合を含む（図１２参照）。
【００９１】
また、表面側の誘導切目線２２ｂと裏面側の誘導切目線３１ｂは上述のように、形成位置又は形成方向が一致することが好ましいが、図１２（ｂ）に示すように、各内側端部２２ｂ’，３１ｂ’が下向傾斜切目線１３ｂ又は裏面側下向傾斜切目線３０に向かっていれば、形成位置、形成方向（傾斜角度）、長さ等が表裏で一致していなくても、交差していても良い。即ち、上記誘導切目線２２ｂと、誘導切目線３１ｂは、それらの形成位置又は形成方向が表裏で多少ずれがある場合、即ち、形成位置又は形成方向が完全に一致していなくても、表裏で略一致していれば良い。
【００９２】
ここで、形成位置又は形成方向が表裏で略一致しているとは、何れも内側端部２２ｂ’，３１ｂ’が下向傾斜切目線１３ｂ、裏面側下向傾斜切目線３０に向かっていれば、表裏の傾斜角度、長さにずれがある場合を含む（図１２参照）。
【００９３】
第２の実施形態の包装袋１は上述のように構成されるものであるから、次に、この包装袋１の開封動作について説明する（図１１参照）。
【００９４】
まず、上記右手で上記上辺部１’を以って、左端部から上記上辺部１’を手前側に引いて開封する場合を説明する（図１１の方向）。
【００９５】
この場合、左手で包装袋１の下半部を保持し、右手で上記上辺部１’の左端部を以って手前に引くと、左端部のＩノッチ２１から引き裂きが始まり、表面側積層フィルム２では、左端部のＩノッチ２１からの切断線が直ちに誘導切目線２２ａに至り、該誘導切目線２２ａに誘導されて切断線が上向傾斜切目線１６ａに至る（図９矢印Ｐ１参照）。そのまま上記上辺部１’を手前に引いていくと、上記上向傾斜切目線１６ａから下部変曲部１５ａを切断し、さらに、凹状切目線１７に沿って切断され、左側の下部変曲部１５ｂを通って上向傾斜切目線１６ｂを切断して、右外縁５ａ（点１６ｂ’）まで切断される。
【００９６】
仮に、何らかの原因で切断線が最初の上記誘導切目線２２ａに至らなかったとしても、次のＶ字型の誘導切目線１８に至るので、ここで、上記上辺部１’を手前に引いている関係上、切断線がＶ字型の上記誘導切目線１８の下側の開き切目線１８ｂに誘導されて、同様に、下部切目線１１の凹状切目線１７に誘導され、そのまま凹状切目線１７に沿って切断され、左側の下部変曲部１５ｂを通って上向傾斜切目線１６ｂを介して右外縁５ａ（点１６ｂ’）まで切断される。この点は第１の実施形態と同じである（図１１参照）。
【００９７】
一方、裏面側積層フィルム３では、上記Ｉノッチ２１から手前側（図７では奥側）に引かれるため、上記Ｉノッチ２１から始まった引き裂きは、直ちに、誘導切目線３１ａに至り、該誘導切目線３１ａの内側端部３１ａ’に誘導されて、下側の裏面側上向傾斜切目線２９ａに達し、該裏面側上向傾斜切目線２９ａに沿って切断され、裏面側変曲部２８ａを通って、そのまま上部裏面側切目線２０ａに沿って切断され、上部裏面側切目線２０ａの右側の端部（他端）２０ａ’に至り、その後は、裏面側積層フィルム３が右側方向に引き裂かれるので、切断線が裏面側下向傾斜切目線３０に至り、そこから該裏面側下向傾斜切目線３０に沿って右側の外縁５ａ（点３０’）まで切断される。
【００９８】
その結果、表面側積層フィルム２側は、その中央部は凹状切目線１７に沿って切断されるため、下向凹状切断線２３（図１１参照）が形成され、裏面側積層フィルム３は、上側の上部裏面側切目線２０ａに沿って切断されるため、当該切目線２０ａに沿った直線状切断線２４（図１１参照）が形成される。
【００９９】
このとき、上記下向凹状切断線２３の位置と、上記直線状切断線２４との間には、距離Ｒ２の段差が生じているので、段差カットが可能であり、その後、使用者は上記距離Ｒ２の段差を利用して、包装袋１を容易に開口することができる。
【０１００】
次に、左手で上記上辺部１’を以って、右端部から上記上辺部１’を手前側に引いて開封する場合を説明する。
【０１０１】
この場合、表面側積層フィルム２側は、右手で包装袋１の下半部を保持し、左手で上記上辺部１’の右端部を以って手前側に引くと、左端部のＩノッチ２１から引き裂きが始まり、切断線は直ぐに右側の誘導切目線２２ｂに達し、該誘導切目線２２ｂの内側端部２２ｂ’に誘導されて切断線が下向傾斜切目線１３ｂに至る（図５矢印Ｐ２参照）。そのまま上記上辺部１’を手前側に引いていくと、上記下向傾斜切目線１３ｂから上部変曲部１２ｂを切断し、さらに、凸状切目線１４に沿って切断され、右側の上部変曲部１３ａを通って下向傾斜切目線１３ａを切断して、左外縁４ａ（点１３ａ’）まで切断される。
【０１０２】
仮に、何らかの原因で切断線が最初の上記誘導切目線２２ｂに至らなかったとしても、次のＶ字型の誘導切目線１９に至るので、ここで、上記上辺部１’を手前側に引いている関係上、切断線がＶ字型の上記誘導切目線１９の上側の開き切目線１９ａに誘導されて、同様に、上部切目線１０の凸状切目線１４に誘導され、そのまま凸状切目線１４に沿って切断され、左側の上部変曲部１２ａを通って下向傾斜切目線１３ａを介して左外縁４ａ（点１３ａ’）まで切断される。この点は第１の実施形態と同様である。
【０１０３】
一方、裏面側積層フィルム３では、上記Ｉノッチ２１から手前側（図７では奥側）に引かれるため、上記Ｉノッチ２１から始まった引き裂きは、直ちに、誘導切目線３１ｂに至り、該誘導切目線３１ｂの内側端部３１ｂ’に誘導されて、上側の裏面側下向傾斜切目線３０に達し、該裏面側下向傾斜切目線３０に沿って切断され、裏面側変曲部３２を通って、そのまま下部裏面側切目線２０ｂに沿って切断され、下部裏面側切目線２０ｂの右側の端部（一端）２０ｂ’に至り、その後は、裏面側積層フィルム３が左側方向に引き裂かれるので、裏面側上向傾斜切目線２９ａに至り、そこから該裏面側上向傾斜切目線２９ａに沿って右側の外縁４ａ（点２９ａ’）まで切断される。
【０１０４】
その結果、表面側積層フィルム２側は、その中央部は凸状切目線１４に沿って切断されるため、上向凸状切断線２５が形成され（図８参照）、裏面側積層フィルム３は、下側の下部裏面側切目線２０ｂに沿って切断されるため、当該切目線２０ｂに沿った直線状切断線２６が形成される（図８参照）。
【０１０５】
このとき、上記上向凸状切断線２５の位置と、上記直線状切断線２６との間には、距離Ｒ４の段差が生じているので、確実に段差カットが可能であり、その後、使用者は上記距離Ｒ４の段差を利用して、包装袋１を容易に開口することができる。
【０１０６】
本発明は以上のように、表面側は、切込部（Ｉノッチ２１）からの切断線が小直線状誘導切目線（誘導用切目線２２ａ又は２２ｂ）に達し、切断線は、上記小直線状誘導切目線の内側端部（内側端部２２ａ’又は２２ｂ’）から上向傾斜切目線１６ａ又は下向傾斜切目線１３ｂに誘導され、裏面側は、表面側の上記上向傾斜切目線１６ａ，１６ｂと形成位置が表裏で一致又は略一致する裏面側上向傾斜切目線２９ａ，２９ｂが形成されているので、切断線を裏面側上向傾斜切目線２９ａ又は２９ｂに誘導することができ、結果として開封部に確実に段差を形成することができる。
【０１０７】
また、上辺部１’の左側を把持して手前に引いた場合も、上辺部１’の右側を把持して手前に引いた場合も、何れの場合も良好に開封部に段差を形成することができる。
【０１０８】
また、仮に、裏面側において、開封時に、裏面側上向傾斜切目線２９ａ，２９ｂから切断線がずれた場合であっても、下部裏面側切目線２０ｂにて切断線を受け止めて、その後は下部裏面側切目線２０ｂに沿って開封することができ、上記ずれが生じても、開封部に段差を確実に形成することができる。
【０１０９】
また、裏面側にも裏面側小直線状誘導切目線３１ａ，３１ｂと、裏面側上向傾斜切目線２９ａと裏面側下向傾斜切目線３０を左右逆方向に設けたので、裏面側の切断線を裏面側小直線状誘導切目線３１ａ又は３１ｂにより裏面側上向傾斜切目線２９ａ又は裏面側下向傾斜切目線３０に確実に誘導することができるため、表面側の切目線の構成と相俟って、どの方向から開封しても、開封部に確実に段差を形成することができる。
【０１１０】
また、表面側の切断線も裏面側の切断線も、表面側の両小直線状誘導切目線２２ａ又は２２ｂ及び裏面側の両裏面側小直線状誘導切目線３１ａ又は３１ｂにより、適切に誘導することができ、結果として開封部に確実に段差を形成することができる。
【０１１１】
また、裏面側の切断線は、上部裏面側切目線２０ａの他端２０ａ’から裏面側下向傾斜切断線３０に誘導することができ、或いは、上記下部裏面側切目線２０ｂの一端２０ｂ’から裏面側上向傾斜切断線２９ａに誘導することができるため、裏面側を円滑に開封することができる。
【０１１２】
また、再封可能な包装袋において、確実に段差を形成し得る易開封手段を実現することができる。
【産業上の利用可能性】
【０１１３】
本発明に係る段差カット可能な包装袋によれば、例えば再封可能な包装袋であって、食品、化粧品、医薬品等の包装袋として広く利用が可能である。
【符号の説明】
【０１１４】
１              包装袋
２              表面側積層フィルム
３              裏面側積層フィルム
４ａ            左外縁
５ａ            右外縁
８              再封手段
９              易開封手段
１０            上部切目線
１１            下部切目線
１２ａ，１２ｂ  上部変曲部
１３ａ，１３ｂ  下向傾斜切目線
１４            凸状切目線
１５ａ，１５ｂ  下部変曲部
１６ａ，１６ｂ  上向傾斜切目線
１７            凹状切目線
１８，１９      誘導用切目線（横向Ｖ字型誘導切目線）
２０ａ          上部裏面側切目線
２０ａ’        他端（右端部）
２０ｂ          下部裏面側切目線
２０ｂ’        両端部（一端）
２１            Ｉノッチ（切込部）
２２ａ，２２ｂ  誘導切目線（小直線状誘導切目線）
２２ａ’，２２ｂ’  内側端部
２８ａ，２８ｂ  裏面側変曲部
２９ａ，２９ｂ  裏面側上向傾斜切目線
３０            裏面側下向傾斜切目線
３１ａ，３１ｂ  誘導切目線（裏面側小直線状誘導切目線）
３１ａ’，３１ｂ’  内側端部
３２            裏面側変曲部
Ｌ              仮想延長線
【要約】
【課題】  包装袋の開封する際、切目線に沿って誘導して適切な段差を形成し得る段差カット可能な包装袋を提供する。
【解決手段】  表面側は包装袋の左右外縁から形成された下向傾斜切目線１３ａ，１３ｂと凸状切目線１４とからなる上部切目線１０と、包装袋の左右外縁から形成された上向傾斜切目線１６ａ，１６ｂと凹状切目線１７とからなる下部切目線１１からなり、左右の切込部に近接して小直線状誘導切目線２２ａ，２２ｂが上向傾斜切目線１６ａ及び下向傾斜切目線１３ｂに向かうように設けられ、裏面側は上部裏面側切目線２０ａと下部裏面側切目線２０ｂとから構成され、包装袋の左右外縁から上部裏面側切目線の両端まで裏面側上向傾斜切目線２９ａ，２９ｂが各々接続され、表面側の左右の上向傾斜切目線１６ａ，１６ｂと、裏面側上向傾斜切目線２９ａ，２９ｂは、形成位置が表裏で一致するように構成した。
【選択図】  図３【図１】
0006814870.tif 000002
【図２】
0006814870.tif 000003
【図３】
0006814870.tif 000004
【図４】
0006814870.tif 000005
【図５】
0006814870.tif 000006
【図６】
0006814870.tif 000007
【図７】
0006814870.tif 000008
【図８】
0006814870.tif 000009
【図９】
0006814870.tif 000010
【図１０】
0006814870.tif 000011
【図１１】
0006814870.tif 000012
【図１２】
0006814870.tif 000013